【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
哺乳類の疾病に処置を施すために電磁信号を生成するための携帯型装置であって、前記装置は
コネクタと、信号出力部と、前記コネクタを前記信号出力部に接続するリードとを有する電磁変換器部であって、
前記コネクタは、識別回路を含み、
前記信号出力部は、複数の巻き線を有するワイヤ・コイルを含む
電磁変換器部と、
信号生成器であって、
前記電磁変換器の前記コネクタを受け入れるように構成されたポートと、
前記ポートに結合された増幅器と、
低周波数の時間領域治療信号を記憶するための第１のメモリであって、
前記記憶された治療信号は薬物サンプルから取得され、
前記記憶された治療信号は１Ｈｚから２２ｋＨｚの間の周波数範囲を有する
第１のメモリと、
前記増幅器と前記第１のメモリとに通信可能に結合された少なくとも１つのプロセッサと、
前記増幅器と前記第１のメモリと前記プロセッサとに結合されたバッテリと、
前記増幅器と前記第１のメモリと前記プロセッサと前記バッテリとを保持するための筐体と
を備える信号生成器と
を備え、
前記プロセッサは、前記コネクタが前記ポートに受け入れられ、前記プロセッサが前記識別回路から取得された情報を受信した際に、前記増幅器による増幅及び前記電磁変換器への配信のために前記記憶された治療信号を提供するようにプログラムされ、
前記電磁変換器は、前記記憶された治療信号に応答して、哺乳類の患者に、前記信号出力部に近接した位置において治療を施すために、磁場信号を生成する、
携帯型装置。
【請求項２】
前記記憶された治療信号は、
電磁遮蔽構造内で、少なくとも１つの超電導量子干渉素子（ＳＱＵＩＤ）又は磁力計に近接して、前記薬物・サンプルを供給するステップと、
磁気と電磁気の両方を遮蔽した容器に、前記薬物サンプルを載置するステップであって、前記薬物サンプルが分子シグナルの信号源として作用するステップと、
別の信号源からの別の信号のない状態で、確率共鳴を生成するのに十分なノイズ振幅でノイズを前記薬物サンプルに注入するステップであって、前記ノイズは複数の周波数にわたって実質的に均一な振幅を有するステップと、
前記超電導量子干渉素子（ＳＱＵＩＤ）又は磁力計を介して、前記薬物サンプルからの出力放射を検出し、前記他の生成された信号がない状態で前記注入されたノイズに重畳された薬物サンプル源放射からなる電磁時間領域信号を記録するステップと、
前記注入と検出を、前記薬物サンプル源放射が前記注入されたノイズから区別できるまで、選択されたノイズ・レベル範囲内の複数のノイズ・レベルのそれぞれにおいて繰り返すステップと
によって生成される、請求項１に記載の装置。
【請求項３】
前記プロセッサに結合された視覚的ディスプレイ・デバイスを更に備え、
前記プロセッサは、カウントダウン・タイマーの状態と、前記バッテリの状態と、前記電磁変換器部の状態と、前記記憶された治療信号のＩＤとのうちの少なくとも２つを提供するために、前記ディスプレイ・デバイスに信号を提供するように構成される、請求項１に記載の装置。
【請求項４】
前記第１のメモリは不揮発性メモリであり、
前記装置は前記プロセッサに結合された第２のメモリを含み、
前記第２のメモリは揮発性メモリであり、
前記記憶された治療信号は前記第１のメモリ内に暗号化されたフォーマットで記憶され、
前記プロセッサは、
セキュリティ・チェックを行い、
前記セキュリティ・チェックが成功したときに、前記記憶された治療信号を復号し、
前記復号された治療信号を前記第２のメモリに記憶し、
タイマーを初期化し、
前記タイマーが満了した又は閾値に達したときに、少なくとも前記第２のメモリに記憶された前記復号された治療信号を消去する、
ように更にプログラムされる、請求項１に記載の装置。
【請求項５】
前記電磁変換器部は異なるサイズの部位にそれぞれ磁場信号を提供するために使用される異なるサイズの信号出力部をそれぞれが有するいくつかの異なる電磁変換器部のうちの１つであり、
前記識別回路は前記信号出力部のサイズに関する情報を提供し、
前記プロセッサは前記識別回路から取得した前記情報に基づいて振幅調節信号を前記増幅器に提供する、請求項１に記載の装置。
【請求項６】
前記識別回路と前記プロセッサとは１−Ｗｉｒｅプロトコルを介して通信し、
前記プロセッサは前記識別回路から取得した前記情報に基づいて振幅調節信号を前記増幅器に提供する、請求項１に記載の装置。
【請求項７】
前記プロセッサは、前記記憶された治療信号を前記増幅器に提供する前に電磁変換器インピーダンス又は抵抗チェックを実行する、請求項１に記載の装置。
【請求項８】
前記識別回路は固有の識別子又はセキュリティ・キーを記憶し、
前記プロセッサは、前記記憶された治療信号を前記増幅器に提供する前に、前記固有の識別子又はセキュリティ・キーに基づいてセキュリティ・チェックを実行する、請求項１に記載の装置。
【請求項９】
前記プロセッサに結合されたセンサを更に備え、
前記センサは、前記筐体又は前記信号生成器の改ざんを示す信号を前記プロセッサに提供するように構成され、
それに応答して前記プロセッサは前記記憶された治療信号を消去する、請求項１に記載の装置。
【請求項１０】
化学的又は生化学的作用物質の効果を哺乳類の患者に誘起するために信号を提供する方法であって、前記哺乳類の患者は前記作用物質に対して反応可能であり、前記方法は
信号生成器部に接続された電磁変換器部を有する携帯型システムを提供するステップであって、
前記信号生成器部は、前記化学的又は生化学的作用物質のサンプルから取得した、記憶された治療信号を含み、
前記記憶された治療信号は、およそ１Ｈｚから２２ｋＨｚの周波数範囲内にあり、
前記記憶された治療信号は前記信号生成器部内に保護されている、
ステップと、
前記信号生成器を前記患者に、前記電磁変換器部を治療すべき前記患者の部位に固定するステップと、
前記電磁変換器部と前記信号生成器部との間の適切な接続をチェックするステップと、
前記記憶された治療信号の保護を解除するステップと、
タイマーを初期化するステップと、
治療すべき前記患者の前記部位に向けられた磁気信号を生成するステップであって、前記磁気信号は前記記憶された治療信号に基づいている、ステップと、
前記タイマーが既定の値に達したときに、前記記憶された治療信号の再利用を禁じるために前記信号生成器部を無効にするステップと
を備える方法。
【請求項１１】
前記記憶された治療信号は前記信号生成器部内で暗号化され、
前記記憶された治療信号の保護を解除するステップは前記記憶された治療信号を復号するステップを含む、請求項１０に記載の方法。
【請求項１２】
前記信号生成器部を無効にするステップは前記記憶された電磁信号を消去するステップを含む、請求項１０に記載の方法。
【請求項１３】
適切な接続をチェックするステップは前記電磁変換器部の種類を判断するステップを含み、
前記方法は前記判断された種類に基づいて前記磁気信号の増幅を調節するステップを含む、請求項１０に記載の方法。
【請求項１４】
適切な接続をチェックするステップは前記電磁変換器部からＩＤ情報を読み出すステップを含む、請求項１０に記載の方法。
【請求項１５】
適切な接続をチェックするステップは前記電磁変換器部が許容範囲内の物理抵抗値を維持し続けていることを定期的に確認するステップを含む、請求項１０に記載の方法。
【請求項１６】
前記記憶された治療信号は前記化学的又は生化学的作用物質の前記サンプルから、
電磁遮蔽構造内で、少なくとも１つの超電導量子干渉素子（ＳＱＵＩＤ）又は磁力計に近接して、前記化学的又は生化学的作用物質の前記サンプルを、供給するステップと、
磁気と電磁気の両方を遮蔽した容器に、前記サンプルを載置するステップであって、前記サンプルが分子シグナルの信号源として作用するステップと、
別の信号源からの別の信号のない状態で、確率共鳴を生成するのに十分なノイズ振幅でノイズを前記サンプルに注入するステップであって、前記ノイズは複数の周波数にわたって実質的に均一な振幅を有するステップと、
前記超電導量子干渉素子（ＳＱＵＩＤ）又は磁力計を介して、前記サンプルからの出力放射を検出し、前記他の生成された信号がない状態で前記注入されたノイズに重畳されたサンプル源放射からなる電磁時間領域信号を記録するステップと、
前記注入と検出を、前記薬物サンプル源放射が前記注入されたノイズから区別できるまで、選択されたノイズ・レベル範囲内の複数のノイズ・レベルのそれぞれにおいて繰り返すステップと
によって取得される、請求項１０に記載の方法。
【請求項１７】
適切な接続をチェックするステップは、前記電磁変換器部と前記信号生成器部との間の前記接続が検知できなかったとき又は所定の許容範囲の外で検知されたときに、ユーザが感知可能な警報を提供するステップを含む、請求項１０に記載の方法。
【請求項１８】
前記電磁変換器部のインダクタンスが所定の許容範囲内にあるかを、直接的に又は間接的に、定期的にチェックするステップを更に備える、請求項１０に記載の方法。
【請求項１９】
前記電磁変換器部が前記患者に近接していることをチェックするために、前記電磁変換器部のインダクタンスが所定の許容範囲内にあるかを、直接的に又は間接的に、定期的にチェックするステップを更に備える、請求項１０に記載の方法。
【請求項２０】
ユーザに対して表示可能なデータ・ログを記録するステップであって、前記データ・ログは、前記タイマーの状態と、前記タイマーのあらゆる停止と、前記電磁変換器部と前記信号生成器部との間の前記接続の状態と、任意のエラー・コードとを表すデータを含むステップを更に備える、請求項１０に記載の方法。
【請求項２１】
疾病に治療を施すために信号を生成するための装置であって、前記装置は
端末と、前記コネクタに結合された信号出力部とを有する電磁変換器部と、
信号生成器であって、
スイッチと、
治療信号を記憶するためのメモリであって、
前記記憶された治療信号は、タンパク質とＲＮＡとＤＮＡ配列とを含む、化学的又は生物学的分子のサンプルから取得され、
前記記憶された治療信号は、１Ｈｚから２２ｋＨｚの間の周波数範囲を有する
メモリと、
前記メモリと前記スイッチと前記端末とに結合された少なくとも１つのプロセッサと、
少なくとも前記プロセッサに結合されたバッテリと、
前記メモリとプロセッサとバッテリを保持するための筐体と
を備え、
前記プロセッサは、前記スイッチがオン位置にある際に、前記電磁変換器への配信のために前記記憶された治療信号を提供するようにプログラムされ、
前記電磁変換器は、前記記憶された治療信号に応答して、前記信号出力部に近接した位置の疾病に治療を施すために、電磁場信号を生成する、
信号生成器とを備える装置。
【請求項２２】
ユーザが前記スイッチを操作でき、
前記プロセッサは、前記スイッチが前記オン位置にある際に、前記電磁変換器への配信のために前記記憶された治療信号を提供し、前記スイッチがオフ位置にある際に、前記電磁変換器への配信のために前記記憶された治療信号を提供することを中止するように構成された、請求項２１に記載の装置。
【請求項２３】
前記電磁変換器部の前記信号出力部のサイズは、前記電磁場信号の治療部位の幅と深さを定める選択された内部面積を有する、請求項２１に記載の装置。